(57)【要約】【課題】電極端部を誘電体で覆った放射線画像検出器において、最外周の電極の外周側の辺を覆う誘電体に剥れを生じにくくする。【解決手段】電極端部を誘電体５ｃで覆った放射線画像検出器１０において、第２の電極層の外周部に密着部材５ｅを配し、第２の電極層の最外周の線状電極５ｂの密着部材５ｅと対向する端部と、密着部材５ｅの最外周の線状電極５ｂと対向する端部との間を誘電体５ｃで覆うようにして、誘電体５ｃの端部を密着力の弱い基板６ａに密着させるのではなく、密着力の強い密着部材５ｅに密着させるようにする。【選択図】図１
2010098102.tif 000002
【特許請求の範囲】
【請求項１】
電磁波に対して透過性を有する第１の電極層と、
前記電磁波の照射を受けて電荷を発生する光導電層と、
複数の分割電極を備えた第２の電極層とを、該第２の電極層から順に基板上に積層してなり、
互いに隣接する前記分割電極の互いに対向する端部間が誘電体で覆われた放射線画像検出器であって、
前記第２の電極層の外周部に密着部材が配され、
前記第２の電極層の最外周の前記分割電極の前記密着部材と対向する端部と、前記密着部材の前記最外周の分割電極と対向する端部との間が前記誘電体で覆われ、
前記基板表面と前記密着部材との密着力および前記密着部材と前記誘電体との密着力が、前記基板表面と前記誘電体との密着力よりも高いことを特徴とする放射線画像検出器。
【請求項２】
前記密着部材が、前記分割電極と同じ材料からなるものであることを特徴とする請求項１記載の放射線画像検出器。
【発明の詳細な説明】
【技術分野】
【０００１】
本発明は、放射線の照射を受けて電荷を発生し、その電荷を蓄積することにより放射線画像を記録する放射線画像検出器に関するものである。
【背景技術】
【０００２】
従来、医療分野等において、被写体を透過した放射線の照射を受けて被写体に関する放射線画像を記録し、その記録された放射線画像に応じた電気信号を出力する放射線画像検出器が各種提案、実用化されている。
【０００３】
放射線画像検出器の方式としては、放射線を直接電荷に変換し電荷を蓄積する直接変換方式と、放射線を一度ＣｓＩ：Ｔｌ、ＧＯＳ（Ｇｄ２Ｏ２Ｓ：Ｔｂ）等のシンチレータで光に変換し、その光を光導電層で電荷に変換し蓄積する間接変換方式がある。また、読取り方式としては、読取光を用いる光読取方式と、ＴＦＴ（thin film transistor）、ＣＣＤ（charge coupled device）、ＣＭＯＳ（complementary metal oxide semiconductor）センサ等を用いる電気読取方式に大別される。
【０００４】
光読取方式の放射線画像検出器としては例えば、放射線の照射により記録用光導電層に発生した電荷を蓄積するとともにこの蓄積電荷と逆極性の電荷を線状電極に帯電させ、読取光の照射により読取用光導電層に発生した電荷対の各電荷を蓄積電荷と帯電させた電荷にそれぞれ結合させることにより、蓄積電荷を読み取るものが知られている。
【０００５】
電気読取方式の放射線画像検出器としては例えば、放射線の照射により発生した電荷を画素ごとの画素電極で収集し、該画素電極と接続された蓄積容量に蓄積し、その蓄積電荷をＴＦＴ等の電気的スイッチを１行ずつＯＮ・ＯＦＦすることにより読み取るものが知られている。
【０００６】
上記の線状電極や画素電極は、放射線の照射により発生した電荷に応じた信号を検出するための検出電極であり、このような検出電極の端部は電界が集中しやすいため、電荷が注入されやすい。検出電極に電荷が注入されると、画像欠陥が発生し画質が劣化する。電荷注入を防ぐには、絶縁性物質で覆うことが有効である。
【０００７】
特許文献１には、絶縁膜で画素電極を覆う構成が記載されているが、画素電極の端部だけでなく電極平坦部も含めた画素電極全体を覆うものであるため、電荷輸送性が低くなり、感度および残像特性が低下してしまうことになる。なお、特許文献１では、導電率向上のために電荷輸送性を有する粒子を含有させた膜で画素電極全体を覆うことも提案しているが、この構成では、電荷が注入されやすくなり、画像欠陥が生じやすくなる。
【０００８】
特許文献２には、画素電極の端部を半導体で覆う構成が記載されているが、半導体は導電率が高いため、感度および残像特性の点では良いが、電荷注入量が増加することになり、画像欠陥に対しては有効な手法とは言えない。
【特許文献１】特開２００６−１５６５５５号公報
【特許文献２】特願平９−５０７０３８号公報
【発明の開示】
【発明が解決しようとする課題】
【０００９】
上記のような問題を解消するため、上記の線状電極や画素電極の端部のみを誘電体で覆うことが考えられる。
【００１０】
このような放射線画像検出器を製造する場合、基板上に線状電極または画素電極を形成し、互いに隣接する電極の互いに対向する端部間を誘電体で覆った後、それらの上から光導電層を成膜するが、最外周の電極の外周側の辺については隣接する電極がないため、この部分については誘電体の端部が基板と直接密着することになる。
【００１１】
通常、電極は金属酸化物からなる透明導電材料や金属材料からなり、その直下にある基板最上層のアクリル等の樹脂上に形成される。また、上記の誘電体にはノボラック等の樹脂が用いられる。
【００１２】
互いに隣接する電極の互いに対向する端部間を誘電体で覆った場合、誘電体端部は金属酸化物あるいは金属材料からなる電極と密着することになるが、誘電体と電極との密着力は比較的高いため、誘電体の剥れのおそれはほとんどない。
【００１３】
しかしながら、最外周の電極の外周側の辺について、この部分を覆う誘電体の一方の端部は基板と密着することになるが、誘電体と基板との密着力は比較的弱く、誘電体の剥れを生じやすい。
【００１４】
そして、誘電体に剥れが生じた状態で光導電層を成膜すると、その部分に突起が生じて他の部分と電気的特性が異なってしまうため、検出した画像にアーティファクトが発生する等、画質が劣化することになる。
【００１５】
本発明は、上記事情に鑑み、電極端部を誘電体で覆った放射線画像検出器において、最外周の電極の外周側の辺を覆う誘電体に剥れを生じにくくすることが可能な放射線画像検出器を提供することを目的とするものである。
【課題を解決するための手段】
【００１６】
本発明の放射線画像検出器は、電磁波に対して透過性を有する第１の電極層と、電磁波の照射を受けて電荷を発生する光導電層と、複数の分割電極を備えた第２の電極層とを、第２の電極層から順に基板上に積層してなり、互いに隣接する分割電極の互いに対向する端部間が誘電体で覆われた放射線画像検出器であって、第２の電極層の外周部に密着部材が配され、第２の電極層の最外周の分割電極の密着部材と対向する端部と、密着部材の最外周の分割電極と対向する端部との間が誘電体で覆われ、基板表面と密着部材との密着力および密着部材と誘電体との密着力が、基板表面と誘電体との密着力よりも高いことを特徴とするものである。
【００１７】
上記において「放射線画像検出器」とは、被写体の画像情報を担持する記録光（記録用の光や放射線等の電磁波）、例えば放射線を検出して被写体に関する放射線画像を表す画像信号を出力する検出器であって、入射した放射線を直接または一旦光に変換した後に電荷に変換し、この電荷を外部に出力させることにより、被写体に関する放射線画像を表す画像信号を得ることができるものである。
【００１８】
この画像検出器には種々の方式のものがあり、例えば、放射線を電荷に変換する電荷生成プロセスの面からは、放射線が照射されることにより蛍光体から発せられた蛍光を光電変換素子で検出して得た信号電荷を画像信号（電気信号）に変換して出力する光変換方式の放射線画像検出器、あるいは、放射線が照射されることにより放射線導電体内で発生した信号電荷を電気信号に変換して出力する直接変換方式の放射線画像検出器等、あるいは、電荷を外部に読み出す電荷読出プロセスの面からは、蓄電部と接続されたＴＦＴ（thin film transistor）、ＣＣＤ（charge coupled device）、ＣＭＯＳ（complementary metal oxide semiconductor）センサ等を用いる電気読取方式のものや、読取光（読取用の光や放射線等の電磁波）を検出器に照射して読み出す光読出方式のもの等、さらには、前記直接変換方式と光読出方式を組み合わせた改良型直接変換方式のもの等がある。
【００１９】
また、「分割電極／密着部材の端部」とは、分割電極／密着部材における側面および側面に連続する光導電層との対向面の一部（対向面の外周部分）を意味する。
【００２０】
また、「基板」とは、第２の電極層の直下までの層を全て含むものを意味しており、支持体のみならず、その他の層を含んでいてもよい。
【００２１】
また、誘電体は少なくとも分割電極の端部を覆っていればよく、分割電極の端部以外の分割電極間や分割電極と密着部材との間については、部分的に誘電体で覆っていない領域があってもよい。
【００２２】
異種の材料を接触させたときその界面における密着力は、個々の材料の表面自由エネルギーから導かれる。例えばある基板に薄膜を形成したとき、付着力は薄膜を基板から引き剥がすのに必要なエネルギーとして定義される。その付着エネルギーWadは（１）式のように表される。
【００２３】
Wad=γf+γs-γfs      （１）
ここで、γfは薄膜の表面自由エネルギー、γsは基板の表面自由エネルギー、γfsは薄膜−基板間の表面自由エネルギーである。このγfsはFowkesにより近似的に（２）式のように示されている。
【００２４】
γfs=γf+γs-2√（γf・γs）  （２）
また、（２）式を（１）式に代入すると（３）式を得ることができる。
【００２５】
Wad=2√（γf・γs）  （３）
この式から表面自由エネルギーが大きいもの同士では付着力強く、小さいもの同士は剥がれ易いことが分かる。
【００２６】
本件の場合には、基板あるいは密着部材、電極がγs、絶縁層がγfに対応する。表1に各種材料における表面自由エネルギーを示す。
【００２７】
【表１】
2010098102.tif 000003
【００２８】
絶縁部材はノボラック樹脂で有機炭化水素高分子からなり同類のナイロン、ＰＭＭＡなどと同等の表面自由エネルギーをもち２０−４０ｍＮ／ｍである。また実際の基板表面には別の有機層（ＰＭＭＡ）がコートされており、絶縁部材と同等のエネルギーをもつ。一方電極、密着部材は金属、無機に分類され、＞２００ｍＮ／ｍと桁的に大きい値を有している。これはガラス、シリコン、Ａｕと同等の大きさである。従って、絶縁部材は同じ有機材料同士の接着より、無機金属材料と接着のほうが強い。これに基づくと基板、絶縁層の表面自由エネルギーを４０ｍＮ／ｍ、密着部材、電極の表面自由エネルギーを１０００ｍＮ／ｍとすると、基板―密着部材間の界面自由エネルギー(密着力)、密着部材−誘電体間の界面自由エネルギー、基板−誘電体間の界面自由エネルギーはそれぞれ４００、４００、８０となり、密着部材を入れることで密着力を高めることができる。
【００２９】
これら密着力の評価は膜表面にスコッチテープを貼り、一端を膜面にほぼ平行方向に引っ張るスコッチテープ法、曲率半径の小さい硬い針を膜表面に立て、膜を引っかき、針に加える加重を徐々に増やして、膜が基板から剥離したかで判定する引っかき法などがある。
【００３０】
さらに、密着部材は、分割電極と同じ材料からなるものとすることが好ましい。
【発明の効果】
【００３１】
本発明の放射線画像検出器は、電極端部を誘電体で覆った放射線画像検出器において、第２の電極層の外周部に密着部材を配し、第２の電極層の最外周の分割電極の密着部材と対向する端部と、密着部材の最外周の分割電極と対向する端部との間を誘電体で覆うようにして、誘電体の端部を密着力の弱い基板に密着させるのではなく、密着力の強い密着部材に密着させるようにしたので、最外周の電極の外周側の辺を覆う誘電体の剥れを生じにくくすることができる。
【００３２】
また、密着部材を、分割電極と同じ材料からなるものとすれば、分割電極の形成時に密着部材を同時に形成できるため、製造コストを低減させることができる。
【発明を実施するための最良の形態】
【００３３】
以下、図面を参照して本発明の放射線画像検出器の第１の実施の形態について説明する。図１は本発明の第１の実施の形態にかかる放射線画像検出器の概略構成図、図２は上記放射線画像検出器の第２の電極層の構成を示す上面図である。なお、図１および図２は、各層の構成を模式的に示すものであり、各層の厚みや幅を正確に図示するものではない。
【００３４】
本放射線画像検出器１０は、光読取方式の放射線画像検出器であり、被写体を透過したＸ線等の画像情報を担持した記録用の電磁波を透過する第１の電極層１と、第１の電極層１を透過した記録用の電磁波の照射を受けることにより電荷対を発生し導電性を呈する記録用光導電層２と、記録用光導電層２において発生した電荷のうち画像情報の記録の際に蓄積される電荷（蓄積電荷）に対しては絶縁体として作用し、且つ該蓄積電荷と逆極性の輸送電荷に対しては導電体として作用する電荷輸送層３と、読取光の照射を受けることにより電荷を発生する読取用光導電層４と、記録用光導電層２において発生した電荷に応じた信号を検出するための検出電極である複数の第１の線状電極５ａ（分割電極）および複数の第２の線状電極５ｂ（分割電極）からなる第２の電極層と、絶縁性および読取光に対する透過性を有する透明絶縁層６ａと、読取光に対して透過性を有する支持体７とをこの順に配してなるものである。
【００３５】
さらに、記録用光導電層２と電荷輸送層３との界面に、記録用光導電層２内で発生した放射線画像を担持する蓄積電荷を蓄積する２次元状に分布した蓄電部８が形成される。上記各層は、読取光を透過するガラス基板等の支持体７上に第２の透明絶縁層６ａから順に形成されるものである。
【００３６】
そして、本放射線画像検出器１０の特徴的な構成として、第２の電極層の外周部に、密着部材５ｅが設けられており、第１の線状電極５ａ、第２の線状電極５ｂおよび密着部材５ｅの端部を覆うように誘電体５ｃが設けられている。なお、図２に示すように、本実施の形態においては、第１の線状電極５ａおよび第２の線状電極５ｂの配列方向（図２中上下方向）の辺には不図示の信号読取回路等が接続されることになるため、上記の密着部材５ｅは、線状電極の長手方向（図２中左右方向）の辺の外周部のみに設けている。
【００３７】
また、第１の線状電極５ａ、第２の線状電極５ｂ、密着部材５ｅおよび誘電体５ｃの表面を覆うように結晶化防止層５ｄが設けられている。なお、これら誘電体５ｃ、結晶化防止層５ｄおよび密着部材５ｅの詳細構成については後述する。
【００３８】
この放射線画像検出器１０の大きさ（面積）は、例えば１８×１８ｃｍ以上、特に胸部Ｘ線撮影用の場合には有効サイズ４３×４３ｃｍ程度とする。
【００３９】
第１の電極層１としては、放射線を透過するものであればよく、例えば金属薄膜が好ましく用いられる。材料としては、Ａｕ、Ｎｉ、Ｃｒ、Ｐｔ、Ｔｉ、Ａｌ、Ｃｕ、Ｐｄ、Ａｇ、Ｍｇ、ＭｇＡｇ３〜２０％合金、Ｍｇ−Ａｇ系金属間化合物、ＭｇＣｕ３〜２０％合金、Ｍｇ−Ｃｕ系金属間化合物等の金属から形成することができる。
【００４０】
第１の電極層１の材料としては、特にＡｕやＰｔ、Ｍｇ−Ａｇ系金属間化合物を好ましく用いることができる。例えばＡｕを用いた場合には、その厚さは１５ｎｍ以上、２００ｎｍ以下であることが好ましく、より好ましくは３０ｎｍ以上、１００ｎｍ以下である。第１の電極層１の材料として例えばＭｇＡｇ３〜２０％を用いた場合には、その厚さは１００ｎｍ以上、４００ｎｍ以下であることが好ましい。作成方法は任意であるが、抵抗加熱方式による蒸着により形成することができる。
【００４１】
記録用光導電層２は、放射線の照射を受けることにより電荷を発生する光導電物質である。アモルファスセレン化合物、Ｂｉ２ＭＯ２０（Ｍ：Ｔｉ、Ｓｉ、Ｇｅ）、Ｂｉ４Ｍ３Ｏ１２（Ｍ：Ｔｉ、Ｓｉ、Ｇｅ）、Ｂｉ２Ｏ３、ＢｉＭＯ４（Ｍ：Ｎｂ、Ｔａ、Ｖ）、Ｂｉ２ＷＯ６、Ｂｉ２４Ｂ２Ｏ３９、ＺｎＯ、ＺｎＳ、ＺｎＳｅ、ＺｎＴｅ、ＭＮｂＯ３（Ｍ：Ｌｉ、Ｎａ、Ｋ）、ＰｂＯ、ＨｇＩ２、ＰｂＩ２、ＣｄＳ、ＣｄＳｅ、ＣｄＴｅ、ＢｉＩ３、ＧａＡｓ等のうち少なくとも１つを主成分とする化合物により構成することができる。この中でも特に、放射線に対して比較的量子効率が高く、また暗抵抗が高い等の点で優れているアモルファスセレン化合物より構成することが好ましい。
【００４２】
記録用光導電層２にアモルファスセレン化合物を用いる場合には、その層中にＬｉ、Ｎａ、Ｋ、Ｃｓ、Ｒｂ等のアルカリ金属を０．００１ｐｐｍ〜１ｐｐｍの間で微量にドープしたもの、ＬｉＦ、ＮａＦ、ＫＦ、ＣｓＦ、ＲｂＦ等のフッ化物を0.１ｐｐｍ〜１０００ｐｐｍの間で微量にドープしたもの、Ｐ、Ａｓ、Ｓｂ、Ｇｅを５０ｐｐｍ〜０．５％の間でドープしたもの、Ａｓを１０ｐｐｍ〜０．５％の間でドープしたもの、Ｃｌ、Ｂｒ、Ｉを１ｐｐｍ〜１００ｐｐｍの間で微量にドープしたもの、を用いることができる。特に、Ａｓを１０ｐｐｍ〜２００ｐｐｍ程度含有させたアモルファスセレン、Ａｓを０．２％〜１％程度含有させさらにＣｌを５ｐｐｍ〜１００ｐｐｍ含有させたアモルファスセレン、Ａｓを０．２％〜１％程度含有させさらにアルカリ金属を０．００１ｐｐｍ〜１ｐｐｍ程度含有させたアモルファスセレンが好ましく用いられる。
【００４３】
また、数ｎｍ〜数μｍサイズのＢｉ２ＭＯ２０（Ｍ：Ｔｉ、Ｓｉ、Ｇｅ）、Ｂｉ４Ｍ３Ｏ１２（Ｍ：Ｔｉ、Ｓｉ、Ｇｅ）、Ｂｉ２Ｏ３、ＢｉＭＯ４（Ｍ：Ｎｂ、Ｔａ、Ｖ）、Ｂｉ２ＷＯ６、Ｂｉ２４Ｂ２Ｏ３９、ＺｎＯ、ＺｎＳ、ＺｎＳｅ、ＺｎＴｅ、ＭＮｂＯ３（Ｍ：Ｌｉ、Ｎａ、Ｋ）、ＰｂＯ、ＨｇＩ２、ＰｂＩ２、ＣｄＳ、ＣｄＳｅ、ＣｄＴｅ、ＢｉＩ３、ＧａＡｓ等の光導電性物質微粒子を含有する厚膜を用いることができる。
【００４４】
記録用光導電層２の厚みは、アモルファスセレン化合物を用いる場合には１００μｍ以上２０００μｍ以下であることが好ましい。特にマンモグラフィ用途では、１５０μｍ以上２５０μｍ以下、一般撮影用途においては５００μｍ以上１２００μｍ以下の範囲であることが特に好ましい。
【００４５】
電荷輸送層３としては、蓄積したい極性の電荷に対しては絶縁性を有し、それと逆の極性の電荷に対しては導電性を有すればよく、移動度と寿命の積が電荷の極性により３桁以上の差があるものが好ましい。電荷輸送層３としては、アクリル系有機樹脂、ポリイミド、ＢＣＢ、ＰＶＡ、アクリル、ポリエチレン、ポリカーボネート、ポリエーテルイミド等のポリマーやＡｓ２Ｓ３、Ｓｂ２Ｓ３、ＺｎＳ等の硫化物、その他に酸化物、フッ化物により構成することができる。好ましい化合物としては、Ａｓ２Ｓｅ３、Ａｓ２Ｓｅ３にＣｌ、Ｂｒ、Ｉを５００ｐｐｍ〜２００００ｐｐｍドープしたもの、Ａｓ２Ｓｅ３のＳｅをＴｅで５０％程度まで置換したＡｓ２（ＳｅｘＴｅ１−ｘ）３（０．５＜ｘ＜１）のもの、Ａｓ２Ｓｅ３のＳｅをＳで５０％程度まで置換したもの、Ａｓ２Ｓｅ３のＡｓ濃度を±１５％程度変化させたもの、アモルファスＳｅ−Ｔｅ系でＴｅが５〜３０ｗｔ％のものを挙げることができる。
【００４６】
上記のようなカルコゲナイド系元素を含む物質を用いる場合、電荷輸送層３の厚みは０．４μｍ以上３．０μｍ以下であることが好ましく、より好ましくは０．５μｍ以上２μｍ以下である。このような電荷輸送層３は１度の成膜で形成してもよいし、複数回に分けて積層してもよい。
【００４７】
有機膜を用いた好ましい電荷輸送層３としては、アクリル系有機樹脂、ポリイミド、ＢＣＢ、ＰＶＡ、アクリル、ポリエチレン、ポリカーボネート、ポリエーテルイミド等のポリマーに対し、電荷輸送材をドープした化合物が好ましく用いられる。好ましい電荷輸送材としては、トリス（８−キノリノラト）アルミニウム（Ａｌｑ３）、Ｎ，Ｎ’−ジフェニル−Ｎ，Ｎ’−ジ（ｍ−トリル）ベンジン（ＴＰＤ）、ポリパラフェニレンビニレン（ＰＰＶ）、ポリアルキルチオフェン、ポリビニルカルバゾール（ＰＶＫ）、トリフェニレン（ＴＮＦ）、金属フタロシアニン、４−ジシアノミチレン）−２−メチル−６−（ｐ−ジメチルアミノスチリル）−４Ｈ−ピラン（ＤＣＭ）、液晶分子、ヘキサペンチロキシトリフェニレン、中心部コアがπ共役縮合環あるいは遷移金属を含有するディスコティック液晶分子、カーボンナノチューブ、フラーレンからなる群より選択される分子を挙げることができる。ドープ量は０．１〜５０ｗｔ．％の間で設定することができる。
【００４８】
読取用光導電層４としては、読取光の照射を受けることにより電荷を発生する光導電物質である。アモルファスセレン化合物、アモルファスＳｉ：Ｈ等のエネルギーギャップが０．７〜２．５ｅＶの範囲に含まれる半導体物質を用いることができる。特にアモルファスセレンを用いることが好ましい。
【００４９】
アモルファスセレン化合物を用いる場合には、その層中にＬｉ、Ｎａ、Ｋ、Ｃｓ、Ｒｂ等のアルカリ金属を０．００１ｐｐｍ〜１ｐｐｍの間で微量にドープしたもの、ＬｉＦ、ＮａＦ、ＫＦ、ＣｓＦ、ＲｂＦ等のフッ化物を１０ｐｐｍ〜１００００ｐｐｍの間で微量にドープしたもの、Ｐ、Ａｓ、Ｓｂ、Ｇｅを５０ｐｐｍ〜０．５％の間でドープしたもの、Ａｓを１０ｐｐｍ〜０．５％の間でドープしたもの、Ｃｌ、Ｂｒ、Ｉを１ｐｐｍ〜１００ｐｐｍの間で微量にドープしたもの、を用いることができる。特に、Ａｓを１０ｐｐｍ〜２００ｐｐｍ程度含有させたアモルファスセレン、Ａｓを０．２％〜１％程度含有させさらにＣｌを５ｐｐｍ〜１００ｐｐｍ含有させたアモルファスセレン、Ａｓを０．２％〜１％程度含有させさらにアルカリ金属を０．００１ｐｐｍ〜１ｐｐｍ程度含有させたアモルファスセレンが好ましく用いられる。
【００５０】
読取用光導電層４の厚みは、読取光を十分吸収でき、かつ蓄電部８に蓄積された電荷による電界が読取光の照射により読取用光導電層４に発生した電荷をドリフトできればよく、１μｍ〜３０μｍ程度が好ましい。
【００５１】
第１の線状電極５ａと第２の線状電極５ｂとは、所定の間隔を空けて交互に略平行に周期的に配列されている。第２の線状電極５ｂは、後述するカラーフィルター層６ｂにより読取光に対し遮光されるよう構成されており、第１の線状電極５ａが光電荷対発生用の電極であるのに対し、第２の線状電極５ｂは光電荷対非発生用の電極となる。すなわち、第２の線状電極５ｂに対応する読取用光導電層４内では、信号取出しのための電荷対が発生しないようになっている。ここで、第２の電極層の電極を線状電極で構成する目的は、ストラクチャノイズの補正を簡便にしたり、容量を低減することにより画像のＳ／Ｎを向上させたり、並列読取り（主に主走査方向）を行なって読出時間の短縮を図る等である。
【００５２】
第１の線状電極５ａおよび第２の線状電極５ｂは、読取光に対して透過性を有するとともに、導電性を有する材料であれば如何なるものでもよいが、高電圧印加時の電界集中による破壊を避けるために平坦性の確保が必要であり、たとえばＩＴＯやＩＺＯ等を０．１〜１μｍ厚にして用いることができる。また、Ａｌ、Ｃｒ等の金属を用いて読取光を透過する程度の厚さ（たとえば、１０ｎｍ程度）で形成するようにしてもよい。
【００５３】
第１の線状電極５ａおよび第２の線状電極５ｂは、各層の積層領域外にも延設されて信号検出用の配線基板と接続されるものであり、第１の線状電極５ａは信号線として用いられ、第２の線状電極５ｂはこの積層領域外で共通化される。例えば、第１の線状電極５ａおよび第２の線状電極５ｂの幅はそれぞれ１０μｍ、２０μｍとし、両者の間隔は１０μｍとし、第１の線状電極５ａおよび第２の線状電極５ｂを１つの組と考えたときの該組のピッチを５０μｍにすることができる。
【００５４】
第１の線状電極５ａおよび第２の線状電極５ｂの端部にはこれらの長手方向に沿って誘電体５ｃが設けられている。ここでいう端部とは、図１および図２に示すように、第１の線状電極５ａおよび第２の線状電極５ｂの側面および該側面に連続する記録用光導電層２との対向面の一部からなる部分である。このように電界の集中しやすい端部を誘電体５ｃで覆うことにより、端部からの電荷注入を低減することができ、画像欠陥を抑制することができる。
【００５５】
誘電体５ｃの材質としては、絶縁性を有するものであればよく、読取光を透過するもの、または遮光するものでもいずれでもよく、例えば、ノボラック樹脂、アクリル樹脂、ＰＶＡ（ polyvinylcohol ）膜、ＰＶＰ（ polyvinyl pyrrolidone ）膜、ＰＡＡ（ polyacrylic acid ）膜等を用いることができる。また、誘電体５ｃの厚みとしては、０．０５μｍ〜５μｍにすることができ、電荷注入を阻止可能なように十分な厚みを持つことが好ましい。
【００５６】
密着部材５ｅの材質としては、第２の電極層の直下の層である透明絶縁層６ａとの密着力および誘電体５ｃとの密着力が、透明絶縁層６ａと誘電体５ｃとの密着力よりも高くなる材料であればどのようなものでもよいが、上記第１の線状電極５ａおよび第２の線状電極５ｂと同じ材料とすることにより、第１の線状電極５ａ、第２の線状電極５ｂおよび密着部材５ｅを同時に形成できるため、製造コストを低減させることができる。なお、密着部材５ｅは、他の線状電極と電気的に切り離され、後述の記録動作時における電界形成時に、電圧が印加されないように構成されている。
【００５７】
本実施の形態においては、図１に示す通り、第２の電極層の最外周の線状電極５ｂの密着部材５ｅと対向する端部と、密着部材５ｅの最外周の線状電極５ｂと対向する端部との間を誘電体５ｃで覆うようにして、誘電体５ｃの端部を密着力の弱い基板６ａに密着させるのではなく、密着力の強い密着部材５ｅに密着させるようにしているため、最外周の線状電極５ｂの外周側の辺を覆う誘電体５ｃの剥れを生じにくくすることができる。
【００５８】
また、第１の線状電極５ａ、第２の線状電極５ｂ、密着部材５ｅおよび誘電体５ｃの表面を覆うように結晶化防止層５ｄが設けられている。この結晶化防止層５ｄは、読取用光導電層４の結晶化を防止するためのものであり、放射線画像検出器１０を繰り返し使用した場合の特性の劣化を防止することができる。
【００５９】
結晶化防止層５ｄとしては、結晶化を防止する目的において、アモルファスセレンにＡｓが５％−１５％の範囲で添加されたもの、Ｓ、Ｔｅ、Ｐ、Ｓｂ、Ｇｅを１％から１０％の範囲で添加したもの、上記の元素と他の元素を組み合わせて添加したものが好ましい。または、より結晶化温度の高いＡｓ２Ｓ３やＡｓ２Ｓｅ３も好ましく用いることができる。更に、電極層からの電荷注入を防止する目的で上記、添加元素に加えて、特に正孔注入を防止するためにＬｉ、Ｎａ、Ｋ、Ｒｂ、Ｃｓ等のアルカリ金属や、ＬｉＦ、ＮａＦ、ＫＦ、ＲｂＦ、ＣｓＦ、ＬｉＣｌ、ＮａＣｌ、ＫＣｌ、ＣｓＣｌ、ＣｓＢｒ等の分子を１０ｐｐｍ−５０００ｐｐｍの範囲でドープすることも好ましい。逆に電子注入を防止するためには、Ｃｌ、Ｉ、Ｂｒ等のハロゲン元素や、Ｉｎ２Ｏ３等の分子を１０ｐｐｍ−５０００ｐｐｍの範囲でドープすることも好ましい。
【００６０】
結晶化防止層５ｄの厚みは、薄くしすぎると上記目的を十分果たさず、厚くしすぎると検出器の感度や残像等の電気的特性を低下させてしまうため、０．０５μｍから１．５μｍの間に設定されることが好ましい。
【００６１】
透明絶縁層６ａは、絶縁性を有するとともに読取光に対して透過性を有するものであり、たとえばアクリル樹脂を用いることができ、その厚みは約５μｍ以下が望ましい。
【００６２】
透明絶縁層６ａを介して、第２の線状電極５ｂに対応する部分にはカラーフィルター層６ｂが設けられている。カラーフィルター層６ｂは、読取光に対して遮光性を有し、例えば金属材料であればＡｌ、Ｍｏ、Ｃｒ等を用いることができ、無機材料であればＭｏＳ２、ＷＳｉ２、ＴｉＮ等を用いることができ、また、アクリル樹脂等の有機材料に顔料を分散させて用いることもできる。カラーフィルター層６ｂの幅は例えば３０μｍにすることができる。
【００６３】
カラーフィルター層６ｂにより、第２の線状電極５ｂへの読取光の入射を遮光できるため、第２の線状電極５ｂに対応する読取用光導電層４内では、信号取出しのための電荷対を発生させないようにすることができる。
【００６４】
支持体７としては、読取光に対して透明であればよく、たとえばガラス基板や有機ポリマー材料を使用することができる。
【００６５】
次に、本放射線画像検出器１０の動作例について説明する。以下に述べる動作例は、第１の電極層１に負電荷を、第２の電極層に正電荷を帯電させて、記録用光導電層２と電荷輸送層３との界面に形成される蓄電部８に蓄積電荷としての負電荷を蓄積させると共に、電荷輸送層３を、蓄積電荷としての負電荷の移動度よりも、その逆極性となる輸送電荷としての正電荷の移動度の方が大きい、いわゆる正孔輸送層として機能させ、結晶化防止層５ｄを、負電荷に対しては導電性を有するとともに正電荷に対しては絶縁性を有するよう機能させたものの一例であるが、これらは、それぞれが逆極性の電荷であっても良く、このように極性を逆転させる際には、正孔輸送層として機能する電荷輸送層を電子輸送層として機能する電荷輸送層に変更する等の若干の変更を行なうだけでよい。
【００６６】
まず、放射線画像検出器１０の第１の電極層１に高圧電源により負のバイアス電圧が印加されて、第１の電極層１と第２の電極層との間に電界が形成される。電界が形成されたとき、第２の電極層の第１の線状電極５ａおよび第２の線状電極５ｂには正電荷が帯電する。この状態において、Ｘ線源等の放射線源から被写体に向けて放射線が照射され、その被写体を透過して被写体の画像情報を担持した放射線が第１の電極層１側から照射される。
【００６７】
照射された放射線は、第１の電極層１を透過し、記録用光導電層２に照射される。これにより記録用光導電層２内に正負電荷からなる電荷対が発生する（図３Ａ参照）。電荷対のうち正電荷（正孔）は、第１の電極層１に向かって移動し、上記高圧電源により誘起された第１の電極層１上の負電荷と結合して消滅する。一方、電荷対のうち負電荷（電子）は、上記電圧の印加により形成された電界分布に沿って第２の電極層に向かって移動し、記録用光導電層２と電荷輸送層３との界面である蓄電部８に蓄積電荷として蓄積される（図３Ｂ参照）。蓄積電荷の量は、照射放射線量に略比例し、この蓄積電荷の量が放射線画像を示すことになる。
【００６８】
ここで、電界が形成されたとき、もし第２の電極層の第１の線状電極５ａおよび第２の線状電極５ｂの端部が誘電体５ｃにより覆われていなければ、これらの端部に電界が集中して電荷注入が起こるが、本実施の形態の放射線画像検出器１０では、誘電体５ｃを設けているため、端部からの電荷注入を低減することができ、画像欠陥を抑制することができる。
【００６９】
上記のようにして放射線画像検出器１０に記録された放射線画像を読み取る際には、第１の電極層１が接地された状態において、支持体７側から読取光が照射される。この照射では、第２の電極層の長手方向に直交する方向に延びる線状の読取光を第２の電極層の長手方向に移動させて、放射線画像検出器１０の全面を走査する。これにより、読取光の走査位置に対応する読取用光導電層４内に正負電荷対が発生する（図３Ｃ参照）。なお、読取用光導電層４内の電荷対の発生は、カラーフィルター層６ｂにより遮光されている第２の線状電極５ｂに対応する部分には起こらない。
【００７０】
なお、図３Ａおよび図３Ｂにおいては、透明絶縁層６ａ、カラーフィルター層６ｂ、支持体７の図示を省略している。また、図３Ｃにおいては、支持体７の図示を省略しており、読取光は支持体７より下方から照射されるものである。
【００７１】
電荷対のうち正電荷は、蓄電部８の蓄積電荷に向かって移動し、この蓄積電荷と結合して消滅する。一方、電荷対のうち負電荷は、第２の電極層の第１の線状電極５ａに帯電した正電荷に向かって移動し、この正電荷と結合して消滅する。
【００７２】
そして、上記のような負電荷と正電荷との結合によって、電流検出アンプに電流ｉが流れ、この電流が積分されて画像信号として検出され、放射線画像に応じた画像信号の読取りが行われる。
【００７３】
次に、本発明の放射線画像検出器の第２の実施の形態について説明する。図４は本発明の第２の実施の形態にかかる放射線画像検出器の概略構成図、図５は上記放射線画像検出器の第２の電極層の構成を示す上面図である。
【００７４】
本実施の形態の放射線画像検出器３０は、電気読取方式のものであり、図４に示すように、画像情報を担持した記録用の電磁波を透過する第１の電極層３１と、電極層３１を透過した記録用の電磁波の照射を受けて電荷を発生する光導電層３２と、光導電層３２において発生した電荷に応じた信号を検出するための検出電極である複数の画素電極３５（分割電極）が配された第２の電極層とがこの順に積層されてなるものである。各画素電極３５は、それぞれ画素電極３５によって収集された電荷を蓄積する蓄積容量３６とスイッチ素子３７に接続されており、画素電極３５と、蓄積容量３６と、スイッチ素子３７とは画素部３４を構成し、この画素部３４が２次元状に多数配列されて電荷検出層３３が構成されている。
【００７５】
電極層３１は、Ａｕ等の低抵抗の導電材料で構成されている。そして、電極層３１には、バイアス電圧を印加するための高圧電源（不図示）が接続されている。
【００７６】
光導電層３２は、電磁波導電性を有するものであり、放射線の照射により内部に電荷を発生するものである。光導電層３２としては、たとえば、セレンを主成分とする膜厚１００〜１０００μｍの非晶質ａ−Ｓｅ膜を用いることができる。
【００７７】
電荷検出層３３は、アクティブマトリクス基板からなる。画素部３４は、上記の画素電極３５等以外にも、スイッチ素子３７をＯＮ／ＯＦＦするための多数の走査線３８と、蓄積容量３６に蓄積された電荷を読み出すための多数のデータ線３９とを備えている。
【００７８】
画素電極３５は、光導電層３２において発生した電荷に応じた信号電荷を収集するものであり、たとえばＡｌ、Ａｕ、Ｃｒ、ＩＴＯ（ Indium Tin Oxide ）、ＩＺＯ（ Indium Zinc Oxide ）等の材料を用いて構成でき、その厚みは０．０５μｍ〜１μｍの範囲が好ましい。
【００７９】
本実施の形態の放射線画像検出器３０においても特徴的な構成として、第２の電極層の外周部に、密着部材３５ｅが設けられており、画素電極３５および密着部材３５ｅの端部を覆うように誘電体３５ｃが設けられている。また、画素電極３５、密着部材３５ｅおよび誘電体３５ｃの表面を覆うように結晶化防止層３５ｄが設けられている。なお、これら誘電体３５ｃ、結晶化防止層３５ｄおよび密着部材３５ｅの詳細構成については後述する。
【００８０】
誘電体３５ｃは、画素電極３５の端部を覆うものである。ここでいう端部とは、画素電極３５の側面および該側面に連続する光導電層３２との対向面の一部からなる部分である。このように電界の集中しやすい端部に誘電体３５ｃを設けることにより、端部からの電荷注入を低減することができ、画像欠陥を抑制することができる。
【００８１】
誘電体３５ｃの材質としては、絶縁性を有するものであればよく、第１の実施の形態の誘電体５ｃと同様の材質を用いることができる。
【００８２】
密着部材３５ｅの材質としては、第２の電極層の直下の層である電荷検出層３３との密着力および誘電体３５ｃとの密着力が、電荷検出層３３と誘電体３５ｃとの密着力よりも高くなる材料であればどのようなものでもよいが、上記画素電極３５と同じ材料とすることにより、画素電極３５および密着部材３５ｅを同時に形成できるため、製造コストを低減させることができる。なお、密着部材３５ｅは、画素電極３５と電気的に切り離され、後述の記録動作時における電界形成時に、電圧が印加されないように構成されている。
【００８３】
本実施の形態においては、図５に示す通り、第２の電極層の最外周の画素電極３５の密着部材３５ｅと対向する端部と、密着部材３５ｅの最外周の画素電極３５と対向する端部との間を誘電体３５ｃで覆うようにして、誘電体３５ｃの端部を密着力の弱い電荷検出層３３に密着させるのではなく、密着力の強い密着部材３５ｅに密着させるようにしているため、最外周の画素電極３５の外周側の辺を覆う誘電体３５ｃの剥れを生じにくくすることができる。
【００８４】
本実施の形態における結晶化防止層３５ｄは、図４に示すように、画素電極３５、密着部材３５ｅおよび誘電体３５ｃの表面を覆うように設けられている。この結晶化防止層３５ｄは、光導電層３２の結晶化を防止するためのものであり、放射線画像検出器３０を繰り返し使用した場合の特性の劣化を防止することができる。
【００８５】
結晶化防止層３５ｄとしては、第１の実施の形態の結晶化防止層５ｄと同様の材質を用いることができる。
【００８６】
次に、放射線画像検出器３０の動作例について説明する。まず、放射線画像検出器３０の電極層３１に高圧電源により負のバイアス電圧が印加されて、電極層３１と画素電極３５との間に電界が形成される。この状態において、Ｘ線源等の放射線源から被写体に向けて放射線が照射され、その被写体を透過して被写体の画像情報を担持した放射線が電極層３１側から照射される。
【００８７】
照射された放射線は、電極層３１を透過し、光導電層３２に照射される。これにより光導電層３２内に正負電荷からなる電荷対が発生する。電荷対のうち正電荷（正孔）は、電極層３１に向かって移動し、上記高圧電源により誘起された電極層３１上の負電荷と結合して消滅する。
【００８８】
一方、電荷対のうち負電荷（電子）は、上記電圧の印加により形成された電界分布に沿って画素電極３５に向かって移動し、画素電極３５に集められ、画素電極３５に電気的に接続された蓄積容量３６に蓄積される。光導電層３２は照射された放射線量に応じた量の電荷を発生するため、放射線が担持した画像情報に応じた電荷が各画素部３４の蓄積容量３６に蓄積される。
【００８９】
ここで、電界が形成されたとき、もし画素電極３５の端部が誘電体３５ｃにより覆われていなければ、この端部に電界が集中して電荷注入が起こるが、本実施の形態の放射線画像検出器３０では、誘電体３５ｃを設けているため、端部からの電荷注入を低減することができ、画像欠陥を抑制することができる。
【００９０】
上記のようにして放射線画像検出器３０に記録された放射線画像を読み取る際には、走査線３８を介してスイッチ素子３７をＯＮ状態にする信号を順次加え、データ線３９を介して各蓄積容量３６に蓄積された電荷を取り出す。さらにアンプ４０で各画素の電荷量を検出することにより画像情報を読取ることができる。
【００９１】
なお、本発明は上記の実施の形態に限定されるものではなく、発明の要旨を変更しない限りにおいて、種々変更することが可能である。例えば、第１の実施の形態で説明した光読取方式の放射線画像検出器において、カラーフィルター層６ｂを設ける代わりに、第２の線状電極５ｂを遮光性物質からなる材質で構成してもよい。また、光読取方式の放射線画像検出器において、全ての線状電極が電荷発生用電極であるよう構成してもよい。また、駆動時の電圧印加を逆の極性としても良い。
【図面の簡単な説明】
【００９２】
【図１】本発明の第１の実施の形態にかかる放射線画像検出器の概略構成図
【図２】上記放射線画像検出器の第２の電極層の構成を示す上面図
【図３Ａ】上記放射線画像検出器への放射線画像の記録の動作を説明するための図
【図３Ｂ】上記放射線画像検出器への放射線画像の記録の動作を説明するための図
【図３Ｃ】上記放射線画像検出器への放射線画像の読取りの動作を説明するための図
【図４】本発明の第２の実施の形態にかかる放射線画像検出器の概略構成図
【図５】上記放射線画像検出器の第２の電極層の構成を示す上面図
【符号の説明】
【００９３】
１    第１の電極層
２    記録用光導電層
３    電荷輸送層
４    読取用光導電層
５ａ    第１の線状電極
５ｂ    第２の線状電極
５ｃ、３５ｃ    誘電体
５ｄ、３５ｄ    結晶化防止層
５ｅ、３５ｅ    密着部材
６ａ    透明絶縁層
６ｂ    カラーフィルター層
７    支持体
８    蓄電部
１０、３０    放射線画像検出器
３１    電極層
３２    光導電層
３３    電荷検出層
３４    画素部
３５    画素電極
３６    蓄積容量
３７    スイッチ素子
【図１】
2010098102.tif 000004
【図２】
2010098102.tif 000005
【図３Ａ】
2010098102.tif 000006
【図３Ｂ】
2010098102.tif 000007
【図３Ｃ】
2010098102.tif 000008
【図４】
2010098102.tif 000009
【図５】
2010098102.tif 000010